Podtech/llm-jp-corpus-v4-ja_patent huggingface dataset:
(57)【要約】【課題】ボビンを嵌め込む場所を設け、ボビン置き同士合体できるように挿し込み部と挿し込み穴を設けたことを特徴とするボビン置きを提供する。【解決手段】少なくとも２個以上のボビンを嵌め込むことができるように形成された嵌め込み部を有した基板の上部に支持部を設け、この支持部の上部に挿し込み部を設け、上記基板の裏面で支持部の下部位置に上記挿し込み部を嵌め込むことができるように形成された挿し込み穴を設けたことを特徴とするボビン置き。【選択図】図１
2006103962.tif 000002
【特許請求の範囲】
【請求項１】
少なくとも２個以上のボビンを嵌め込むことができるように形成された嵌め込み部を有した基板の上部に支持部を設け、この支持部の上部に挿し込み部を設け、上記基板の裏面で支持部の下部位置に上記挿し込み部を嵌め込むことができるように形成された挿し込み穴を設けたことを特徴とするボビン置き。
【請求項２】
少なくとも２個以上のボビンを嵌め込むことができるように形成された嵌め込み部を有した帯状の基板の上部に支持部を設け、この支持部の上部に挿し込み部を設け、上記基板の裏面で支持部の下部位置に上記挿し込み部を嵌め込むことができるように形成された挿し込み穴を設けたことを特徴とするボビン置き。
【請求項３】
２個のボビンを嵌め込むことができるように形成された嵌め込み部を有した基板の上部に支持部を設け、この支持部の上部に挿し込み部を設け、上記基板の裏面で支持部の下部位置に上記挿し込み部を嵌め込むことができるように形成された挿し込み穴を設けたことを特徴とするボビン置き。
【発明の詳細な説明】
【技術分野】
【０００１】  本発明は、ボビンを嵌め込んで固定でき、ボビン置き同士合体できるボビン置きに関するものである。
【背景技術】
【０００２】  従来、１０〜１２個のボビンを一つ一つ縦又は横にして収めるように仕切りのある蓋の付いた一層のケースがあった。
【発明の開示】
【発明が解決しようとする課題】
【０００３】  そのため、次のような問題点があった。
（イ）ケースから取り出したボビンは、固定されていないために転がって巻かれてあ          る糸がほどけてしまった。
（ロ）複数のボビンを横並びに一層に収納し、縦に積み上げることができないため、          ケースが横に大きく嵩張り、収納スペースに合わない例えばバックの中や机の          中に収めることができなかった。
本発明は、これらの問題を解決するためになされたものである。
【課題を解決するための手段】
【０００４】  少なくとも２個以上のボビンを嵌め込むことができるように形成された嵌め込み部を有した基板の上部に支持部を設け、この支持部の上部に挿し込み部を設け、上記基板の裏面で支持部の下部位置に上記挿し込み部を嵌め込むことができるように形成された挿し込み穴を設けたことを特徴とするボビン置き。
【発明の効果】
【０００５】  請求項１においては、ボビンが固定されているため糸がほどけてしまうことがなく、しっかりとした大きさの基板が土台となって、必要に応じて上に多く積み上げていくことができる。
請求項２においては、帯状に形成されているので、細いスペースにコンパクトに収納することができ、複数横並びに収納しても嵩張らない。
請求項３においては、必要なボビンだけを選んで必要な数だけ持ち運びができ、ボビンは固定されているのでボビンが外れて糸がほどけてしまう煩わしさもないので携帯性に優れている。
【発明を実施するための最良の形態】
【０００６】  以下、本発明の実施の形態について説明する。
（イ）ボビンを嵌め込むことができるように敵度な弾力性を有した樹脂性素材からな          る湾曲した４個の突片（５）を電球状に立ち上げ形成された８個の嵌め込み部          （１）を周囲に有した正方形状の基板（３）を設ける。
（ロ）基板（３）の上部中央に支持部（４）を設け、この支持部（４）の上部に挿し          込み部（２）を設ける。
（ハ）基板（３）の裏面で支持部（４）の下部位置に挿し込み部（２）を嵌めること          ができるように形成された挿し込み穴（６）を設ける。
本発明は以上のような構成で、これを使用するときは、ボビンをボビン嵌め込み部（１）に嵌め込む。
ボビン置き同士合体できるので、挿し込み部（２）をもう一つのボビン置き挿し込み穴（６）に挿し込んで合体した状態で保管する。なお、ボビン嵌め込み部（１）の数に関しては、基板（３）の大きさによって変わるもので８個に限定されるものではない。
【実施例１】
【０００７】  以下、本発明の実施例１の形態について説明する。
（イ）帯状に形成された基板（３Ａ）の上部中央に支持部（４Ａ）を設ける。
（ロ）支持部（４Ａ）の左右にそれぞれ２個のボビン嵌め込み部（１Ａ）を設ける。
（ハ）基板（３Ａ）の裏面で支持部（４Ａ）の下部位置に挿し込み部（２Ａ）を嵌め    ることができるように形成された挿し込み穴（６Ａ）を設ける。
本発明は以上のような構成で、これを使用するときは、ボビンをボビン嵌め込み部（１Ａ）に嵌め込む。
ボビン置き同士合体できるので、挿し込み部（２Ａ）をもう一つのボビン置き挿し込み穴（６Ａ）に挿し込んで合体した状態で保管する。なお、ボビン嵌め込み部（１Ａ）の数に関しては、基板（３Ａ）の大きさによって変わるもので４個に限定されるものではない。
【実地例２】
【０００８】以下、本発明の実施例２の形態について説明する。
（イ）帯状に形成された基板（３Ｂ）の上部中央に支持部（４Ｂ）を設ける。
（ロ）支持部（４Ｂ）の左右にそれぞれ１個のボビン嵌め込み部（１Ｂ）を設ける。
（ハ）基板（３Ｂ）の裏面で支持部（４Ｂ）の下部位置に挿し込み部（２Ｂ）を嵌め          ることができるように形成された挿し込み穴（６Ｂ）を設ける。
本発明は以上のような構成で、これを使用するときは、ボビンをボビン嵌め込み部（１Ｂ）に嵌め込む。
ボビン置き同士合体できるので、挿し込み部（２Ｂ）をもう一つのボビン置き挿し込み穴（６Ｂ）に挿し込んで合体した状態で保管する。
ボビン置きの大きさが小さく携帯性に優れているので、持ち運びをするときは必要な数のボビン置きだけをはずしてバックの空いている隙間に納めることができる。
【図面の簡単な説明】
【０００９】
【図１】本発明の斜視図
【図２】本発明の底面図
【図３】本発明の実施例１の斜視図
【図４】本発明の実施例２の斜視図
【図５】本発明の使用状態を示す斜視図
【図６】従来の商品を示す斜視図
【符号の説明】
【００１０】    １．１Ａ．１Ｂ  ボビン嵌め込み部
２．２Ａ．２Ｂ  挿し込み部
３．３Ａ．３Ｂ  基板
４．４Ａ．４Ｂ  支持部
５．５Ａ．５Ｂ  突片
６．６Ａ．６Ｂ  挿し込み穴
【図１】
2006103962.tif 000003
【図２】
2006103962.tif 000004
【図３】
2006103962.tif 000005
【図４】
2006103962.tif 000006
【図５】
2006103962.tif 000007
【図６】
2006103962.tif 000008
(57)【要約】【課題】  片手で買物かごを持ちながら、片手でベビーカーを押すという不便を解消するベビーカー用買物かご取付具を提供する。【解決手段】  フック（４）を有するベルト（３）を調節板（２）に取付け、手締めねじ（５）のスライド式ねじ穴（６）に合わせて固定具（１）に取付け、構成された固定具をベビーカーの任意の支柱に取付け、固定し、フックにスーパー等の買物かごを掛けることにより、ベビーカーに買物かごを装着できることを特徴とするベビーカー用買物かご取付具。【選択図】  図１
2006103650.tif 000002
【特許請求の範囲】
【請求項１】
先端にフックを有するベルト及び調節板を設けた固定具を、ベビーカーの支柱に取り付け、固定し、スーパーマーケット等の買い物かごにフックを掛けることにより、ベビーカーに買い物かごを装着、取り付け可能とする事を特徴とした、ベビーカー用買物かご取付具。
【発明の詳細な説明】
【技術分野】
【０００１】  本発明は、ベビーカーでの買い物を、便利、快適とするため、ベビーカーに買い物かごを装着、取付ける、ベビーカー用買物かご取付具に関するものである。
【背景技術】
【０００２】  従来、ベビーカーを押しながら、スーパー等の買物かごを使用する場合、通路の狭い店内を、片手で買物かごを持ちながら、もう一方の手でベビーカーを押し、操縦するという大変不便で労力を伴う作業であった。  同伴者がいる場合は、一人がベビーカーを押し、もう一人が買物かごを持っている。【０００３】  スーパー等に備え付けの幼児席付ショッピングカートは、子供を歩かせてきた際には使用できるが、ベビーカーで来た場合は、カートに乗せ替え、ベビーカーを入り口等に置いておかねばならず、盗難等の心配がある。
【発明の開示】
【発明が解決しょうとする課題】
【０００４】  上述のように、ベビーカーで買物をする場合、片手で買物かごを持ちながら、もう一方の手でベビーカーを押し、操縦するという非常に不便かつ労力を伴う作業である。
買物かごの内容物が増え、重量が増すほどに苦痛を伴うものである。  本発明は、以上の問題を解決しようとするものである。
【０００５】  本発明は、このような点に鑑みて成されたものであり、その目的は、先端にフックを有するベルト及び調節板を設けた固定具を、ベビーカーの支柱に取付け、固定し、上記フックに、スーパー等の買物かごを掛けることにより、ベビーカーに買物かごを装着、取付け、ベビーカーと買物かごが一体となり、一つの幼児席付ショッピングカート様となり、片手で買物かごを持ちながら、片手でベビーカーを押す、という不便、苦労、困難を解消し、ベビーカーでの買物を大幅に便利かつ快適にすることにある。
【課題を解決するための手段】
【０００６】  先端にフックを有するベルト及び調節板を設けた固定具を、買物かごの取付け位置が適した位置になるよう必要に応じて、固定具本体の位置とフックの届く位置を調節し、ベビーカーの支柱に取付け、固定し、ベビーカーに買物かごを装着する。以上を特徴とする。
【発明の効果】
【０００７】  以上説明したように、本発明は、フックにスーパー等の買物かごを掛け、ベビーカーに買物かごを装着することにより、一つの幼児席付ショッピングカート様に使用でき、片手で買物かごを持ちながら、もう一方の手でベビーカーを押し、操縦するという非常に不便で労力を伴う買物から解放し、便利かつ快適に買物をするために極めて有効である。
【発明を実施するための最良の形態】
【０００８】  以下、本発明の実施の形態を、図面に基き詳細に説明する。【０００９】  図１から図３は、本発明の実施の形態に係り、図１は、その外観斜視図、図２は、その分解斜視図、図３は、その使用状態を示す斜視図である。【００１０】  以下、本発明の実施の形態を説明する。
（イ）調節板（２）の一方にベルト（３）を設け、その先端にフック（４）を設ける。
（ロ）手締めねじ（５）の軸と、調節板（２）のスライド式ねじ穴（６）を合わせ、固  定具（１）に取付ける。
本発明は、以上の構成から成っている。
本発明を使用する時は、上記構成の固定具（１）をベビーカー（７）の任意の支柱に、手締めねじ（５）を締付けることにより取付け、固定し、フック（４）にスーパー等の買物かご（８）を掛けて使用する。  ベビーカーの種類、使用状況、背面等の構成に合わせ、買物かご（８）をフック（４）に掛けた際、丁度良い位置になるように固定具（１）の取付け位置を調整したり、フック（４）の位置を調節板（２）にて調節の上実施する。
以上により、ベビーカーに買物かごを装着し、片手で買物かごを持ちながら、もう一方の手でベビーカーを押し、操縦するという不便、苦労、困難を解消し、一台の幼児席付ショッピングカート様に使用でき、便利かつ快適に買物をすることが可能となる。【００１１】  固定具（１）の取付け位置、及び調節板（２）でフック（４）の位置を調節することにより、様々な種類のベビーカーに対応可能であり、また、ベビーカーの中心から下方に取付けることにより、買物かご内の重量が増しても、重みで転倒しにくい。【００１２】  以上、本発明の実施の形態を説明したが、本発明の範囲はこれに限定されるものではない。  様々な状況により適宜変更可能で、その材質、大きさ、形状等、任意に選定することができる。  また、ベビーカーのみに限定されるものではなく、車椅子やその他の手押し車等に使用可能である。  更に、買物かごのみならず、家庭内外において、任意の場所に固定し、任意の物を掛けるための道具としても使用可能である。
【産業上の使用可能性】
【００１３】  本発明は、ベビー用品、介護用品、固定具、フック等を製造、販売する産業分野で利用することができる。
【図面の簡単な説明】
【００１４】
【図１】本発明の斜視図
【図２】本発明の分解斜視図
【図３】本発明の使用状態を示す斜視図
【符号の説明】
【００１５】      １  固定具
２  調節板
３  ベルト
４  フック
５  手締めねじ
６  スライド式ねじ穴
７  ベビーカー
８  買物かご
【図１】
2006103650.tif 000003
【図２】
2006103650.tif 000004
【図３】
2006103650.tif 000005
(57)【要約】      （修正有）【課題】ロボット等の物体を空中に浮上させるのに、従来は推進力によって翼の羽につけられた上下の角度の相違によって発生する差圧による揚力に頼る手段を用いていたので大きな推進力を必要としていた。【解決手段】油圧装置を用いて直接浮力を発生させ、同時に構造的に風力を取り入れて物体を上方に押上げることによってシリンダーの摺動に伴って物体を上昇させる。【選択図】図１
2006103652.tif 000002
【特許請求の範囲】
【請求項１】
モーターやエンジン等の動力の回転軸と棒を連結させて蒸気機関車の車輪の連結のように梃子の原理を働かせて油圧シリンダーと連結させ、シリンダー内の流体のちゅうそうを繰り返すことによって油圧を作動させ、油圧の移動体シリンダーと一体化した屋根を上下運動させて、浮力を発生させ装置全体を空中に浮上させるロボット。
【請求項２】
上記請求項１に記載した油圧の移動シリンダーと一体化した屋根の外周を下方に折り曲げてロボットの底板とワイヤ等の連結体で連結し、油圧の作動によって屋根が上下運動をする際、油圧によって屋根を押上げると屋根部とロボット本体の間の空間の圧力が一瞬希薄になるので、丁度，傘が風によって逆さまになるように空気が屋根下に入り込んで上向きに屋根を押上げるように作用し、次に、上記請求項１に記載した動力の回転運動に伴い強制的に屋根を引張り下ろすことによって屋根下に入り込んでいる空気を押す反力でロボット本体を上方に押上げる為、動力の駆動によって連続して空中に上昇するロボット。
【請求項３】
上記請求項１に記載したモーターやエンジン等の回転軸等にプロペラをつけて推進力を発生させ空中で水平に移動することを可能にする。
【発明の詳細な説明】
【項目名】
従来の技術
【段落番号】
【０００１】従来、ロボットは地上の作業が主であり、これはロボット自体が空中に浮上す機構を身に着けていなかったためである。又物体を空中に浮上させるのに動力を駆動させて翼に付けた羽角の相違によって発生する揚力を主に利用していたので大きな推進力を必要とするか気球のように必要な浮力を発生させる為に大掛かりな機構を必要としたためである。
【段落番号】
【０００２】当該技術は、油圧装置を作動させと同時に構造的に空気を取り入れ浮力を発生増大することによってロボットを空中に浮上させることに成功した。
【図面の簡単な説明】
【図１】空中ロボットの断面図の一例
【符号の説明】
１．オイル              ２．下部シリンダー    ３．上部シリンダー  ４．注射器              ５．注射器固定台      ６．連結棒  ７．オイル抽送器        ８．ローラー          ９．シャフト１０．ギアーモーター    １１．バッテリー      １２．底板１３、バネ              １４．ワイヤー        １５．上部シリンダー屋根
【図１】
2006103652.tif 000003
(57)【要約】【課題】シートベルト装着時の腹部圧迫によりシートベルトの装着が出来ない妊婦にも、腹部圧迫を軽減することでシートベルトを装着出来るようにし、事故等の衝撃時のシートベルトを装着しない事による危険を回避する。【解決手段】左右の腰骨にクッション１を置きその上からシートベルト４を装着する。シートベルト４のたるみをなくし、止め具２でクッション１とシートベルト４を取り付け、腹部とシートベルト４との間に空間をつくる。これによりシートベルト４を緩めずに腹部圧迫を軽減する。又、事故等でのシートベルト４の衝撃を左右の腰骨に分散し、腹部への負担を軽減する。【選択図】  図１
2006103447.tif 000002
【特許請求の範囲】
【請求項１】
シートベルトと左右の腰骨との間に取り付ける事により、シートベルトを緩めずに腹部への圧迫を軽減及び、事故等でのシートベルトの衝撃を左右の腰骨に分散させ腹部の負担を軽減することにより、妊婦でもシートベルトを装着できるようにしたことを特徴とする、シートベルト腹部圧迫軽減クッション。
【請求項２】
クッションの中身をクッション材で一杯にし、クッションの変形を抑制することで、事故等の衝撃時でも腹部とシートベルトとの間の空間を確保することを特徴とする、請求項１に記載の、シートベルト腹部圧迫軽減クッション。
【請求項３】
クッションを曲げることにより、シートベルトが長手方向へ移動しても、クッションの腹部方向への移動を抑制したことを特徴とする、請求項１及び請求項２に記載の、シートベルト腹部圧迫軽減クッション。
【請求項４】
クッション表面の素材を摩擦率の高い素材にし、シートベルトが長手方向へ移動しても、クッションと腰骨部分とのずれを抑制したことを特徴とする、請求項１、請求項２及び請求項３に記載の、シートベルト腹部圧迫軽減クッション。
【請求項５】
クッションとシートベルトを取り付けるための留め具の素材を摩擦率の低い素材にし、シートベルトが長手方向に移動しても、クッションと腰骨部分とのずれを抑制したことを特徴とする、請求項１、請求項２、請求項３及び請求項４に記載の、シートベルト腹部圧迫軽減クッション。
【発明の詳細な説明】
【技術分野】
【０００１】
本発明は、シートベルト装着時シートベルトを緩めずに腹部への圧迫を軽減及び、事故等でのシートベルトの衝撃を左右の腰骨に分散し腹部の負担を軽減するために、シートベルトと左右の腰骨との間に取り付けるクッションに関するものである。
【背景技術】
【０００２】
負傷、疾病若しくは傷害のため又は妊娠中であることによりシートベルトを装着することが療養上又は健康保持上適当でない者が自動車を運転するときは、シートベルトの装着が免除されており、実際シートベルトは装着時、腹部に圧迫がかかる。このため妊婦はシートベルトを装着したくても装着することが出来ない。又、腹部の圧迫感を嫌がりシートベルトを装着しない人や、装着しても緩めてしまったりする人もおり、事故等での衝撃時大変危険である。
【０００３】
この改善策として、腰のシートベルトを妊婦のお腹を圧迫しない長さにして安心装置を装着したシートベルトを装着することにより、万一の場合には、腰のシートベルトの安心装置がバックル部のスリップガイドで固定され、腰のシートベルトに衝撃が加わらず、肩のシートベルトに衝撃が加わるので、上半身がシートベルトにより過度に前傾することを防止することになり、妊婦のお腹と妊婦の安全を守ることができるというものがある。（例えば、特許文献１参照。）。
【特許文献１】特開２００３─２１２０８２号公報
【発明の開示】
【発明の効果】
【０００４】
本発明を取り付けることにより、シートベルト装着時シートベルトを緩めずに腹部圧迫が軽減できる。又、事故等でのシートベルトの衝撃が左右の腰骨に分散されるため、腹部への負担が軽減する。これにより、今までシートベルトを装着出来なかった妊婦もシートベルトを装着することが出来るようになり、シートベルトを装着しない事による危険を回避することができる。他にも、腹部の圧迫感を嫌がりシートベルトを装着しなかった人にも、装着を促すことができる。
【発明を実施するための最良の形態】
【０００５】
本発明の取り付け方を図１で説明すると、左右の腰骨にクッション１を置き、その上からシートベルト４を装着し、シートベルト４のたるみをなくして留め具２でシートベルト４にクッション１を取り付ける。これにより、シートベルト４を緩めずに腹部圧迫を軽減することができる。又、事故等でのシートベルト４の衝撃が左右の腰骨に分散されるため、腹部への負担が軽減する。
【０００６】
本発明はクッション１の中身をクッション材で一杯にし、クッション１の変形を抑制することで事故等の衝撃時でも腹部とシートベルト４との間の空間を確保し、腹部への負担を軽減する。
【０００７】
図２のように本発明を曲げることにより、シートベルト４が長手方向に移動しても、クッション１が腹部方向へ移動することを抑制する。
【０００８】
本発明の表面の素材をタオル地等の摩擦率の高い素材にすることで、シートベルト４が長手方向に移動しても、クッション1と腰骨部分とのずれを抑制する。
【０００９】
本発明の留め具２の素材をナイロン等の摩擦率の低い素材にすることで、シートベルト４が長手方向に移動しても、クッション１と腰骨部分とのずれを抑制する。
【図面の簡単な説明】
【００１０】
【図１】クッション取り付け時の正面図である。
【図２】クッションの側面図である。
【図３】クッションの上面図である。
【図４】クッションの断面図である。
【符号の説明】
【００１１】
１  クッション
２  留め具
３  ボタン
４  シートベルト
【図１】
2006103447.tif 000003
【図２】
2006103447.tif 000004
【図３】
2006103447.tif 000005
【図４】
2006103447.tif 000006
(57)【要約】 【課題】  アサリやハマグリのごとき有用具類を、肉くずれがなく、調理しやすく、見た目にも整然とした形でくしを通すことができる、アサリやハマグリのごとき有用具類の保持方法を提供することにある。【解決手段】  任意数のアサリやハマグリのごとき有用具類の入水菅あるいは排水菅のいずれかにくしを順次に突き通して並べてなるものである。【選択図】     図１
2006304694.tif 000002
【特許請求の範囲】
【請求項１】
任意数のアサリやハマグリのごとき有用具類の入水菅あるいは排水菅のいずれかにくしを順次に突き通して並べてなることを特徴とする有用具類の保持方法。
【発明の詳細な説明】
【技術分野】
【０００１】
本発明は、アサリやハマグリのごとき有用具類の保持方法に関する。
【背景技術】
【０００２】
従来、産地で採れたアサリやハマグリのごとき有用具類の流通にあたっては、採れたアサリやハマグリを容器に手を加えることなく収容し、食品の流通市場におかれているため、例えば、レストランや家庭などでアサリやハマグリをくしにさして調理しようとすると、面倒な手間を要したものである。
【発明の開示】
【発明が解決しようとする課題】
【０００３】
本発明は、上記した実状に鑑みてなされたもので、アサリやハマグリのごとき有用具類を、肉くずれがなく、調理しやすく、見た目にも整然とした形でくしを通すことができる、アサリやハマグリのごとき有用具類の保持方法を提供することをその目的とするものである。
【課題を解決するための手段】
【０００４】
本発明に係る有用具類の保持方法は、任意数のアサリやハマグリのごとき有用具類の入水菅あるいは排水菅のいずれかの管路に順次にくしを突き通して並べてなるものである。
【発明の効果】
【０００５】
本発明に係る有用具類の保持方法によれば、アサリやハマグリのごとき有用具類を、肉くずれがなく保持できる上に、そのまま簡単に調理することができる。また、見た目にも整然とした形でくしを通すことができるから、店頭販売における陳列に適し、買い物客の購買意欲をそそることができる。
【発明を実施するための最良の形態】
【０００６】
本発明に係る有用具類の保持方法によれば、任意数のアサリやハマグリのごとき有用具類の入水菅あるいは排水菅のいずれかの管路にくしを順次に突き通して並べることとなる。
【実施例】
【０００７】
以下、本発明の有用具類の保持方法について実施例に基づき説明する。
図において、本発明に係る有用具類の保持方法は、任意数のアサリ１の入水菅２にくし３を順次に突き通して並べることとなる。
尚、上記実施例においては、入水菅２を利用したが、水管として入水菅２と排水菅４を有しているので、いずれかを利用すればよい。また、上記実施例においては、アサリ１を用いたが、ハマグリその他の有用貝類であってもよい。
【産業上の利用可能性】
【０００８】
アサリやハマグリのごとき有用具類を、肉くずれがなく保持できる上に、そのまま簡単に調理することができる。また、見た目にも整然とした形でくしを通すことができるから、店頭販売における陳列に適し、買い物客の購買意欲をそそることができる。
【図面の簡単な説明】
【０００９】
【図１】本発明に係る有用具類の保持方法の一例を示す概略図である。
【符号の説明】
【００１０】
１  アサリ
２  入水菅
３  くし
４  排水菅
【図１】
2006304694.tif 000003
(57)【要約】      （修正有）【課題】  魚釣りに行く時にコンパクトにして持ち歩け、釣り場では幅を調節できるテンビンの提供。【解決手段】パイプ1の中に通し輪付きテンビン2の先端を違いの輪に通して差し込み、テンビン2の先端にヨリモドシ4取り付け輪を設けヨリ戻し4を取り付け、パイプ1中央部分にミチ糸及びオモリを取り付けるヨリ戻し6を設ける。【選択図】  図１
2006304603.tif 000002
【特許請求の範囲】
【請求項１】
１，のパイプの中に、２，の通し輪付きテンビンの先端を互いの輪に、通して差し込みます。
差し込み後、３，のテンビン抜け出し止めをテンビンの先端を通して、パイプの先端に差し込み固定します。
２，のテンビンの先端に、４，のヨリ戻しを付ける輪にして、５，のハリス取り付けヨリ戻しを取り付けます。
１，のパイプの中央部分に、６，のミチ糸及びオモリ取り付け、上下サルカン付きヨリ戻しを取り付けます。
【発明の詳細な説明】
【産業上の利用分野】
【０００１】  レジャ−の魚釣りの仕掛けの、ひとつとしてハリスを取り付けて、使用する、釣り具の小物です。
【背景技術】
【０００２】  従来はテンビンのみの物が主流の技術です。
【考案が解決しようとする課題】
【０００３】  現在のテンビンは一本物の為、長く持ち歩きに不向きな所が有ります。
テンビン部分を収納する事で、コンパクト化するのが課題です。
【課題を解決する手段】
【０００４】  特許請求の範囲を、釣り具メ−カ−に提案し課題を解決します。
【作用と実地例】
【０００５】  コンパクト化で持ち歩きに容易になる作用と、釣り場ではテンビンを引き出して幅を広げて使用した実地例が有ります。
【考案の効果】
【０００６】  コンパクト化で持ち歩きが容易になる効果と、釣り場ではテンビンを引き出し幅を広げて使用出来る効果が有ります
【図面の簡単な説明】
【図面】
本体１，収納時断面図  本体２，使用時断面図  １，パイプ  ２，通し輪付きテンビン  ３，テンビン抜け出し止め  ４，ヨリ戻し取り付け輪  ５，ハリス取り付けヨリ戻し  ６，ミチ糸及びオモリ取り付け上下サルカン付きヨリ戻し
【図１】
2006304603.tif 000003
【手続補正書】
【提出日】平成18年8月23日(2006.8.23)
【手続補正１】
【補正対象書類名】明細書
【補正対象項目名】全文
【補正方法】変更
【補正の内容】
【発明の詳細な説明】
【産業上の利用文野】
【０００１】  レジャ−の魚釣りの仕掛けの、ひとつとしてハリスを取り付けて、使用する、釣り具の小物です。
【背景の技術】
【０００２】  従来はテンビンのみの物が主流の技術です。
【考案が解決しようとする課題】
【０００３】  現在のテンビンは一本物の為、長く持ち歩きに不向きな所が有ります。
テンビン部分を収納する事で、コンパクト化するのが課題です。
【課題を解決する手段】
【０００４】  特許請求の範囲を、釣り具メ−カ−に提案し課題を解決します。
【作用と実地例】
【０００５】  コンパクト化で持ち歩きに容易になる作用と、釣り場ではテンビンを、引き出して幅を広げて使用した実地例が有ります。
【考案の効果】
【０００６】  コンパクト化で持ち歩きが容易になる効果と、釣り場ではテンビンを、引き出し幅を広げて使用出来る効果が有ります。
【図面の簡単な説明】
【０００７】
【図１】テンビンの収納時及び使用時の断面図です。
【符号の説明】
【０００８】１，パイプ本体
２，通し輪付きテンビン
３，テンビン抜けだし止め
４，ヨリ戻し付き取り付け輪
５，ハリス取り付けヨリ戻し
６，ミチ糸及びオモリ取り付け、上下サルカン付きヨリ戻し
(57)【要約】【課題】軟質樹脂製のシート又はフィルムにより形成した膜面に浮遊貝類幼生を付着させるように構成した幼生採苗器を用いることにより採苗率（生産性）を向上する。【解決手段】飼育環境水中で親貝との同居処理により付着期に達した浮遊貝類幼生の天然採苗又は人工採苗を、シート採苗によりおこなうための固着性貝類の幼生採苗器Ｘである。幼生採苗器Ｘは、剛性又は準剛性の面枠１と、軟質樹脂製のシート２（又はフィルム）を有し、面枠１内にシート２を展張して膜面（２）を形成している。好適なシート２は生分解性プラスチックシートである。【選択図】      図１
2006304677.tif 000002
【特許請求の範囲】
【請求項１】
飼育環境水中で親貝との同居処理により付着期に達した浮遊貝類幼生の天然採苗又は人工採苗をおこなうための固着性貝類の幼生採苗器において、
剛性又は準剛性の面枠と、樹脂製のシート又はフィルムを有し、
前記面枠内に前記シート又はフィルムを展張して膜面を形成してなることを特徴とする固着性貝類の幼生採苗器。
【請求項２】
樹脂製のシート又はフィルムが生分解性プラスチックからなるものである請求項１記載の固着性貝類の幼生採苗器。
【請求項３】
飼育環境水中で親貝との同居処理により付着期に達した浮遊貝類幼生の天然採苗又は人工採苗を、シート採苗によりおこなうようにした固着性貝類の幼生採苗器であって、
剛性又は準剛性の面枠内に生分解性プラスチックシート又はフィルムを脱着可能に展張固定して膜面を形成してなることを特徴とする固着性貝類の幼生採苗器。
【発明の詳細な説明】
【技術分野】
【０００１】
本発明は、飼育環境水中で親貝との同居処理により付着期に達した浮遊貝類幼生の天然採苗又は人工採苗を、シート採苗によりおこなうための固着性貝類の幼生採苗器に関する。ここで、固着性貝類は少なくともカキに代表される二枚貝である。
【背景技術】
【０００２】
従来より、人工生産したカキの浮遊幼生を採苗する際には、幼生飼育水槽内に貝殻等で作成した貝殻連からなる付着器（採苗器に同じ。）を垂下し、これに着定させていた。ここでは、付着器を採苗する貝類（親貝）と同じ水槽内に収容（同居処理）することで付着促進を図っている。（例えば特許文献１を参照。）
【特許文献１】特開２００３−１８９７５４号公報
【０００３】
しかしながら、貝殻連への幼生付着率は良いとは言えず、大部分は水槽底面に沈下して着定したり、水槽壁面に着定してしまうという問題があった。これら水槽に付着した幼生を利用する場合は、水槽内での剥離作業が必要で、作業性が悪く、剥離稚貝を損傷するとう問題もあった。また、剥離するには付着から１ケ月以上の飼育期間が必要であり、利用水総量が多くなるという問題あった。
【０００４】
こうしたなかで、損傷がなく大量の幼生を採苗し、生産性を向上する採苗技術の改善が要請されてきた。
【発明の開示】
【発明が解決しようとする課題】
【０００５】
発明が解決しようとする問題点は、少なくと以下の点に求められる。
（１）人工生産したカキの浮遊幼生を歩留りよく大量に採苗すること（採苗率がよいこと）。
（２）付着した稚貝の剥離が容易であること。
（３）操作性がよく再利用可能な採苗器であること。
【０００６】
本発明はこのような事情に鑑みなされたものであって、上記課題を解消し、軟質樹脂製のシート又はフィルムにより形成した膜面に幼生を付着させるようにした固着性貝類の幼生採苗器を提供するものである。
【課題を解決するための手段】
【０００７】
課題を解決するために本発明は、飼育環境水中で親貝との同居処理により付着期に達した浮遊貝類幼生の天然採苗又は人工採苗を、シート採苗によりおこなうようにした固着性貝類の幼生採苗器であって、剛性又は準剛性の面枠と、軟質樹脂製のシート又はフィルムを有し、前記面枠内に前記シート又はフィルムを展張して膜面を形成してなることを特徴とするものである。
【発明の効果】
【０００８】
本発明は、少なくとも以下の効果を奏する。
（１）シート採苗により浮遊貝類幼生を歩留りよく大量に採苗することができる。（採苗率がよい）。
（２）付着した稚貝の剥離が容易である。
（３）面枠と膜面からなる簡素な構造のため操作性がよく再利用可能である。
（４）損傷のない稚貝を大量に回収できる。
（５）全体として、低コストで生産性の飛躍的な向上を図ることができる。
【発明を実施するための最良の形態】
【０００９】
本発明の実施の最良形態は、上記構成の採苗器において、軟質樹脂製のシート又はフィルムには生分解性プラスチックシート又はフィルムを用いている。
【実施例】
【００１０】
本発明の一実施例について添付図面を参照して以下詳細説明する。
【００１１】
実施例採苗器は、カキの浮遊幼生ｓについておこなった実験的事実に基づくものであるが、浮遊貝類幼生の適用範囲はこれに限定されるものではない。
【００１２】
図１に正面視説明図を示すように、実施例採苗器Ｘは、剛性又は準剛性の面枠１内に生分解性プラスチックシート（又はフィルム）２を脱着可能に展張固定して膜面を形成してなるものである。
【００１３】
ここで、生分解性プラスチックシート（又はフィルム）３には農業用マルチシートを用いることができる。面枠１を塩ビ枠等で構成すれば、安価、軽量であり、再使用可能である。
【００１４】
採苗率を上げるには人工採苗水槽３に親貝とともに収容して同居処理をするのが好ましい。付着誘因効果が認められるからである。また、従来的な貝殻連〔図示省略〕と組み合わせ採苗水槽３底面に敷くことも考慮されてよい。
【００１５】
要するに、実施例採苗器Ｘは面状体（パネル）であるから、図２に示すように採苗水槽３に適宜間隔で連設してもよいし、槽底に敷設してもよく、設置形態は種々考慮されてよい。しかも、軽量であり、他の採苗水槽又は飼育水槽への移動も容易である。なお、図中の符号４はエアレーション手段である。
【００１６】
実施例採苗器を用いたシート採苗による付着稚貝数調査結果を表１に示す。
【００１７】
【表１】
2006304677.tif 000003
【産業上の利用可能性】
【００１８】
本発明は、簡素な構造で効率よく採苗可能な固着性貝類の幼生採苗器として利用価値が高い点で、水産業界への貢献が期待でき、産業上極めて有益である。
【図面の簡単な説明】
【００１９】
【図１】一実施例採苗器の正面視説明図である。
【図２】採苗水槽に収容設置した模式説明図である。
【符号の説明】
【００２０】
１  面枠
２  生分解性シート（又はフィルム）
３  採苗水槽
４  エアレーション手段
ｓ  カキの幼生（稚貝）
Ｘ  幼生採苗器
【図１】
2006304677.tif 000004
【図２】
2006304677.tif 000005
(57)【要約】【課題】樹木を自然な形状で水槽として利用するとき防水が問題であるが、木材の防腐処理や防水加工が様々な環境問題を起こす原因であることが広く理解されている事から、補修可能で安全確実な防水加工によって装飾性と機能性を兼ね備えた水槽とし、又ベランダや庭などの屋外での利用も可能とする。【解決手段】樹木をくり貫き加工した個所へ、シリコン樹脂で防水加工することによって生物や人体へのより安全で確実な防水手段とした、又補修が容易であることから長期間の使用にも対応できる防水方法である、さらに廃棄処理時においても容易に防水部分を分離できる素材であるから木材部分への化学薬品等による有害な防腐処理を行わないことで環境負荷の低減も解決した。【選択図】図１
2006304679.tif 000002
【特許請求の範囲】
【請求項１】
樹木の自然な形状を残す一体成形加工で循環ポンプ設置個所と水の流れや池状態となる個所を作り、循環する水の影響を受ける個所へ生物に対してより安全で廃棄処理時における環境負荷を低減する防水加工を行って、天然樹木の自然な装飾的形状を利用した小さな池状態の観賞用水槽
【発明の詳細な説明】
【技術分野】
【０００１】
このミニチュア池は樹木の自然な姿の美しさと池の楽しさをあわせ持つ安全で環境負荷に配慮した観賞用水槽の技術である。
【背景技術】
【０００２】
これまでの観賞用水槽は透明な素材を使い水槽の中で魚が泳ぐ姿を観賞することを主たる目的としたものであった。
【０００３】
人工素材による透明水槽においても水槽自体にデザインの工夫を凝らし提供されていた。
【０００４】
しかし水槽の人工素材が和風インテリアとしての用途に適さない欠点が有った。
【０００５】
叉青苔の発生などで水槽が汚れることも頻繁となり、掃除を怠ると非常に見苦しい水槽となる欠点があった。
【特許文献１】特開２０００−３１６３８５
【特許文献２】特開平０５−０４１９３３
【非特許文献１】江良達雄著  「熱帯魚・水草ガーデニングに挑戦―水槽の生き物たちに癒される」技術評論社発行  ２００５年
【発明の開示】
【発明が解決しようとする課題】
【０００６】
木材を水槽として利用するために必須条件となる防水加工を飼育する魚などの生物に害が無く、室内で使用するときに人体への悪影響を与えず、又廃棄する場合においても環境負荷を低減する安全で確実な防水技術とする課題があった。
【課題を解決するための手段】
【０００７】
樹木にくり貫き加工をした個所へシリコン樹脂などによる生物に安全な被覆をすることで補修も可能な防水加工とし、また廃棄時においても防水加工部を容易に分離できる素材であるため防腐剤などの有害とされる物質を含まない木材の廃棄処理時における環境負荷を低減する事ができたので、より安全で環境負荷に配慮した樹木の自然な形状と美しさを残す水槽とする目的を達成した。
【発明の効果】
【０００８】
この発明によってこれまでの水槽技術には無かった新しい発想で個性的な樹木の美しさを単なる飾りとしてだけではなく小さな池としての機能を兼ね備えた観賞用水槽として、又ベランダなどの屋外での使用時では手軽なビオトープとして自然の生物が住み着くよい環境を提供できることから多くの楽しみと癒しを利用者に与えることが出来る。
【発明を実施するための最良の形態】
【０００９】
より安全で確実な防水加工をシリコン樹脂素材の使用によって、防水部分の容易な補修も可能になり、長期間の屋外や室内での利用を実現した。
【実施例１】
【００１０】
自然な樹木の形状の中に川のせせらぎ状態と池状態の深みを作り水槽の底へ浄化装置を設置して人工物が視界に入らない、より自然な川辺の風景を創出する。
【実施例２】
【００１１】
ベランダや庭などの屋外に設置することで、家庭での手軽なビオトープとして違和感の無い形状であるため、自然に住み着く生物を観察して楽しむ。
【実施例３】
【００１２】
水槽を廃棄する場合防水加工した部分の容易な分離を行うことで、分別廃棄が可能であり、又最大の質量となる木材部分の廃棄処分はどのような処理を行っても自然な形質の状態であるため環境負荷を低減することが出来る
【産業上の利用可能性】
【００１３】
水力発電ダムに漂着する流木や建設工事等で発生する用途の無い伐採木は産業廃棄物として処理されている、それら廃棄される木材は形状の不揃いなどの理由によるものであるが、この発明では個性的な形状の樹木がより装飾効果を高めるため、新しい価値を創出し産業廃棄物の有効利用につながる。
【図面の簡単な説明】
【００１４】
【図１】この発明は様々な形状で提供できる特徴を持つが実施例として川と池の複合的水辺の景色を水槽に創出した断面図である。（実施例１）
【図２】水槽の標準的な基本構造を平面からの断面図で説明した図である、この水槽では唯一の開口部となる。
【図３】水槽の標準的な基本構造を正面からの断面図で説明した図である、実際には正面から水槽の中は視認出来ない。
【図４】水槽の標準的な基本構造を側面からの断面図で説明した図である、実際には側面から水槽の内部は視認出来ない。
【符号の説明】
【００１５】
１  樹木の切断面
２  循環ポンプの吸い込み口
３  水の流れを創出するために樹木を加工した個所
４  循環ポンプから吐き出された水が流れを作る個所
５  樹木水槽の仮想断面個所
６  樹木の自然な形状を残した個所
７  循環ポンプ
８  循環ポンプを設置する個所
９  樹木の形状を残した側面
１０  循環ポンプの吸い込み口
１１  防水加工した個所
１２  水槽上部の樹木切断加工個所
１３  循環ポンプを隠す脱着可能な蓋
１４  循環ポンプの水吐き出し口
１５  樹木の自然な形状の外形
１６  水槽内の水面
１７  水槽の底面に配置したろ過資材
１８  循環ポンプの吸い込み口
１９  樹木水槽の仮想断面
２０  水槽のくり貫き加工面に防水加工した個所
２１  水槽の底面ろ過資材
２２  水槽内の水面
２３  水槽内に設置した飾り
２４  循環ポンプを覆う脱着可能な蓋
２５  循環ポンプ
２６  循環ポンプの吸い込み口
２７  樹木の切断面
【図１】
2006304679.tif 000003
【図２】
2006304679.tif 000004
【図３】
2006304679.tif 000005
【図４】
2006304679.tif 000006
(57)【要約】【課題】  主として、ひらめ、かれい等の活魚類を搬送するための活魚移送袋が供給酸素圧によって変形して搬送中に活魚類が中央部に集まることによって収容尾数を制約させたり、魚同士が接触して疲弊したりするのを防止して、活魚の搬送効率の向上を図る。【解決手段】  柔軟性材質よりなる魚類収容袋１の底部外側に保形板７を嵌装できる保形板収容袋６を一体的に形成して搬送中において魚類収容袋１が供給酸素圧によって変形するのを防止する。【選択図】      図１
2006304635.tif 000002
【特許請求の範囲】
【請求項１】
柔軟性材料よりなる魚類収容袋の底部外側にその底部を水平状に保持する保形板収容袋を一体的に形成したことを特徴とする活魚移送袋。
【請求項２】
魚類収容袋内底部に複数の突条を設けたことを特徴とする請求項１記載の活魚移送袋。
【請求項３】
魚類収容袋に密封手段を有する魚投入部と注水部及び酸素供給部を設けたことを特徴とする請求項１又は２何れか記載の活魚移送袋。
【発明の詳細な説明】
【技術分野】
【０００１】
本発明は、ひらめ、かれい、うなぎ、はもその他の高級魚を活きたまま収容して搬送する活魚の移送袋に関する。
【背景技術】
【０００２】
最近はひらめその他の高級魚類を活きたまま直接消費地に搬送して客に提供することが行なわれており、その移送手段としてはこれらの魚類を魚類収容袋に収容すると共に長時間の移送を可能にするために酸素を充填し、これを通常は発泡スチロール等の断熱性の搬送容器に収納して搬送することが知られている。
【特許文献１】特開２００４−２４１２２号公報
【０００３】
しかしながら、従来の魚類収容袋は酸素を充填すると、その高圧力のため袋自体が球状に変形して断熱性搬送容器底部に沿接せず、特に角隅部において大きな間隙が生じて収容した活魚が活魚移送袋の中央部に集まり、移送尾数が制約されると共に魚同士が必要以上に重合接触状態となって疲弊したり、損傷の原因となったりして移送効率を悪くすると共に歩留り及び品質を著しく低下せしめているのが現状である。
【発明の開示】
【発明が解決しようとする課題】
【０００４】
本発明はこのような活魚移送における移送効率、歩留り及び品質の低下を、魚類収容袋の簡易な保形手段により改善し、魚類収容袋内に収容したひらめ、うなぎその他の高級活魚の移送効率、歩留り及び品質を向上するようにした活魚移送袋を提供することを目的とするものである。
【課題を解決するための手段】
【０００５】
本発明は前記目的を達成するために、柔軟性材料よりなる魚類収容袋の底部外側にその底部を水平状に保持する保形板収容袋を一体的に形成したことを特徴とするものであり、前記魚類収容袋を断面方形状の発泡スチロール等の断熱性搬送容器に嵌装して搬送する場合にはその袋内底部には複数の突条を設けると共に保形板収容袋の外底部に嵌挿する保形板としては、魚類収容袋の底部を水平状態に保持するものであれば反覆使用可能な合成樹脂板、軽金属板等を使用できることはもとより、単一搬送のみに使用する防水ボール紙板、ベニヤ板等何れであっても差支えなく、また魚類収容袋には密封手段を有する魚類投入部、注水部及び酸素供給部を夫々設けることが好適である。
【発明の効果】
【０００６】
本発明は魚類収容袋の外側底部に保形板収容袋を一体的に形成したことにより、酸素を充填した高圧の魚類収容袋の底部を保形板により平面状に保持せしめて酸素充填時の魚類収容袋の底部の球状変形を阻止して活魚が中央部に寄り集まることを防止し、魚同士の重合接触による損傷、疲弊を防ぎ、活魚類の長時間、長距離の搬送を可能にし、その搬送効率の向上と歩留り及び品質の低下を防止することができる。
【０００７】
本発明はまた魚類収容袋の内底部に複数の突条を設けることにより、魚類収容袋の下部の水平保形性を一層向上できると共に魚類の袋底部への直接接触防止と海水の流通性を図ることができ、活魚の搬送効率と品質の向上を一層増進することができる。
【０００８】
また本発明は保形板がその収容袋に着脱自在に挿嵌できることにより、反覆使用を可能にすると共に活魚搬送後の魚類収容袋の折畳み、保管、収納、移送及び反覆使用が容易である上に保形板を反覆使用する場合にもその保管、収納及び移送も便利である。
【０００９】
更に魚類収容袋、保形板収容袋及び保形板の形状を断熱性搬送容器内に嵌装できるようにしたときには、これらの搬送容器内への嵌合手段および活魚の魚投入部からの挿入手段も迅速容易にでき、一層の搬送効率と歩留りとの向上を図ることができる。
【発明を実施するための最良の形態】
【００１０】
本発明の実施の形態を図面の実施例について説明すると、略直方体状の塩化ビニール等の柔軟性材料よりなる魚類収容袋１の一側上部には扁平状の魚投入部２が、他側上面には注水部３及び酸素供給部４が夫々着脱自在な緊締手段で密封可能に設けられると共にその内部底面には複数の突条５が一体又は着脱自在に設けられている。
【００１１】
また前記突起収容袋１の底部外側面には保形板収容袋６が一体的に形成され、該収容袋６内に保形板７を挿嵌して活魚移送中において魚類収容袋内に充填した酸素の圧力により底部が球状に変形するのを防止して平面状に保持するように構成されている。
【００１２】
しかして前記突条５は軽量かつ折曲自在の発泡性材料よりなる棒状体を着脱自在に取付けるのが好ましく、また前記保形板７としては、搬送手段毎に廃棄する防水ボール紙、ベニヤ板等を使用したり、反覆使用可能な硬質合成樹脂製又は軽金属製板を使用したりすることができる。
【００１３】
また前記魚投入部２の緊締手段としては、扁平部を巻着してその外部に緊締パイプを嵌着して密封し、注水部３及び酸素供給部４の緊締手段は止栓等の嵌着手段で行なうのが好適である。
【００１４】
本発明の実施例は上記のように構成されているので、活魚を搬送するには保持板収容袋６内に保持板７を嵌装した魚収容袋１内にその注水部３から海水を注入し、次いで魚投入部２を介して搬送活魚例えば、ひらめを収納して魚投入部２及び注水部３を緊締した後、酸素供給部４から内部の空気を排除し魚類収容袋１内に所要の酸素を充填緊締して発泡スチロール等の断熱性搬送容器８に入れて移送するものであり、この搬送中において魚収容袋１の底部が酸素圧で球状に変形して活魚が中央に集まったり魚同士が必要以上に接触したりして疲弊することを保形板７で防止するようにしたものである。
【００１５】
なお、たい、しまあじの如く縦方向に扁平状の活魚はその形状に沿って縦方向に区分した直水性容器に一尾又は複数尾毎に分離収容したものを魚収容袋１内に収納して搬送し、また、はも、うなぎのような細長い魚はこれらを収容した孔穴き円筒容器を魚収容袋１内に並設収納して移送するのが便利であり、また搬送時間によっては必要に応じて海水を交換したり、酸素を追加充填することもできる。
【図面の簡単な説明】
【００１６】
【図１】本発明の斜視図。
【図２】本発明の断面図。
【図３】本発明の搬送時の断熱性搬送容器の蓋を外した状態の断面図。
【符号の説明】
【００１７】
１  魚類収容袋
２  魚投入部
３  注水部
４  酸素供給部
５  突条
６  保形板収容袋
７  保形板
８  搬送容器
【図１】
2006304635.tif 000003
【図２】
2006304635.tif 000004
【図３】
2006304635.tif 000005
(57)【要約】  【課題】  ゆで卵の加工食品において、食感及び食味の点で斬新なものを提供する。  【解決手段】  ゆで卵を油で素揚げし、調味液に浸漬したことを特徴とする鶏卵加工食品10。前記調味液は、だし汁に少なくとも砂糖、醤油及び味醂を加えたものに、酢酸ナトリウムを添加したものであることが望ましい。本鶏卵加工食品10の表面11は薩摩揚げのような外観を呈しつつ、その断面は卵白12及び卵黄13を備えたゆで卵そのものであるというように視覚的にも面白く、また、表面11が揚げてあることも相まって、その香ばしさと全体に浸透した調味液とにより誠に美味な鶏卵加工食品10となる。  【選択図】  図１
2006304682.tif 000002
【特許請求の範囲】
【請求項１】
ゆで卵を油で素揚げし、調味液に浸漬したことを特徴とする鶏卵加工食品。
【請求項２】
前記調味液は、だし汁に少なくとも砂糖、醤油及び味醂を加えたものに、酢酸ナトリウムを添加したものであることを特徴とする請求項１記載の鶏卵加工食品。
【発明の詳細な説明】
【技術分野】
【０００１】
本発明は、ゆで卵を油で素揚げし、調味液に浸漬して成る鶏卵加工食品に関する。
【背景技術】
【０００２】
鶏卵加工食品としての揚げ物に関する従来技術としては、下記の特許文献１にあるように、卵白と卵黄とから成る卵液に澱粉及び／又はゼラチンを配合したスラリーを油ちょうするというものが開示されている。
一方、鶏卵をゆでてゆで卵にすることは広く一般に行われている。そして、ゆで卵はそのまま食塩などをつけて食する他、おでんなどの煮物の材料としても使用されるものである。
【特許文献１】特開２００４−１７３６３１号公報
【発明の開示】
【発明が解決しようとする課題】
【０００３】
本発明は、ゆで卵の加工食品において、食感及び食味の点で斬新なものを提供することを目的とする。
【課題を解決するための手段】
【０００４】
上記課題に鑑み、本発明に係る鶏卵加工食品10は、ゆで卵を油で素揚げし、調味液に浸漬したことを特徴とする。
すなわち、ゆで卵を油で素揚げすることによって、表面を香ばしくするとともに、調味液が浸透しやすくなる。
なお、前記調味液は、だし汁に少なくとも砂糖、醤油及び味醂を加えたものに、酢酸ナトリウムを添加したものであることが望ましい。ここで、酢酸ナトリウムは主にｐＨ調整の目的で使用されるもので、日持ちの向上を図るものである。
【発明の効果】
【０００５】
本発明は上記のように構成されているので、ゆで卵の加工食品において、食感及び食味の点で斬新なものを提供することが可能となる。
【発明を実施するための最良の形態】
【０００６】
以下、本発明の実施の形態を説明する。
まず、鶏卵を１０〜２５分間ゆで、ゆで卵とする。
次に、このゆで卵の殻をむき、表面の水気を拭き取ってから、１７５〜１８０℃の食用油で２分間素揚げにする。
一方、適量の水に各種のだし汁、醤油、味醂、砂糖、酒、塩等を添加して一般的な煮物の調味液とし、これを７０℃で１０分間加熱した後、室温まで自然冷却させておく。なお、上記調味液には、仕上がり製品の日持ちを向上させるため、食酢や各種日持ち向上剤（グリシン、酢酸ナトリウム、各種有機酸、ｐＨ調整剤等）を添加してもよい。
【０００７】
上記調味液３００ｍｌを包装用ポリエチレンバッグにとり、これに前記素揚げにしたゆで卵を６個入れ、空気が入らぬように口をシールする。
そして、このポリエチレンバッグごと９０℃の湯に１５分浸漬して、加熱殺菌させる。
このようにして、素揚げしたゆで卵は調味液に浸漬されることとなり、全体に味が浸透することとなる。そして、図１（Ａ）に示すようにあたかもその表面11は薩摩揚げのような外観を呈しつつ、図１（Ｂ）に示すようにその断面は卵白12及び卵黄13を備えたゆで卵そのものであるというように視覚的にも面白く、また、表面11が揚げてあることも相まって、その香ばしさと全体に浸透した調味液とにより誠に美味な鶏卵加工食品10となるのである。本鶏卵加工食品10はそのまま食べてもよく、また、おでんのタネなどにしても好適である。
【図面の簡単な説明】
【０００８】
【図１】本発明に係る鶏卵加工食品の外観（Ａ）及び断面（Ｂ）を示す。
【符号の説明】
【０００９】
10  鶏卵加工食品          11  表面
12  卵白                  13  卵黄
【図１】
2006304682.tif 000003